【手続補正書】
【提出日】平成19年4月11日(2007.4.11)
【手続補正１】
【補正対象書類名】明細書
【補正対象項目名】特許請求の範囲
【補正方法】変更
【補正の内容】
【特許請求の範囲】
【請求項１】  クロック信号を受けるために接続した第１の端子と、第１の入力信号を受けるために接続した第２の端子と、を有する第１の負性抵抗素子と、
クロック信号を受けるために接続した第１の端子と、第２の入力信号を受けるために接続した第２の端子とを、有する第２の負性抵抗素子と、
第１の入力信号を受けるために接続された第１の端子と、反転クロック信号を受けるために接続された第２の端子と、を有する第３の負性抵抗素子と、
第２の入力信号を受けるために接続された第１の端子と、反転クロック信号を受けるために接続された第２の端子と、を有する第４の負性抵抗素子と、
第１の負性抵抗素子の第２の端子と第３の負性抵抗素子の第１の端子とに接続されて出力信号を出す出力端子と、
第２の負性抵抗素子の第２の端端子と第４の負性抵抗素子の第１の端子と接続されて反転出力信号を出す反転出力端子と、
を含むアナログ信号量子化ブリッジ装置。
【請求項２】  第１、第２、第３及び第４の負性抵抗素子が各々、共振トンネルダイオードである請求項１の装置。
【請求項３】  さらに、クロック信号に対して、第１、第２、第３及び第４の負性抵抗素子をバイアスする手段を含む請求項１の装置。
【請求項４】  第１、第２、第３及び第４の負性抵抗素子が各々、並列の第１と第２のトンネルダイオードとを含み、第１のトンネルダイオードが、第２のトンネルダイオードに対して反対にバイアスされている請求項１の装置。
【請求項５】  第１及び第２の入力信号が、可変電流を含む成る請求項１の装置。  
【請求項６】  出力信号が可変電圧を含む請求項１の装置。
【請求項７】  出力信号が、−１、０、＋１で表せる３水準の１つである請求項１の装置。
【請求項８】  第１の入力信号が、Ｘバンド領域の信号である請求項１の装置。
【請求項９】  さらに、クロック信号を受ける第１の端子と、反転クロック信号を受ける第２の端子と、を有する第５の負性抵抗素子を含む請求項１の装置。
【請求項１０】  第１、第２、第３、第４及び第５の負性抵抗素子が各々、共振トンネルダイオードを含む請求項９の装置。
【請求項１１】  さらに、クロック端子に対して第１、第２、第３及び第４の負性抵抗素子をバイアスする手段を含む請求項１の装置。
【請求項１２】  第１、第２、第３及び第４の負性抵抗素子が各々、平行な第１の共振トンネルダイオードと第２の共振トンネルダイオードを含み、第１の共振トンネルダイオードが、第２の共振トンネルダイオードとは反対にバイアスされている請求項９の装置。
【請求項１３】  第１及び第２の入力信号が、可変電流を含む請求項９の装置。
【請求項１４】  出力信号が、可変電圧を含む請求項９の装置。
【請求項１５】  出力信号が、−１、０、＋１で表せる３水準の１つである請求項９の装置。
【請求項１６】  さらに、第１の入力端子と第２の入力端子と第１の出力端子と第２の出力端子とを有するクロック増幅器と、
クロック信号をクロック増幅器の第１の入力端子に接続する手段と、
反転クロック信号をクロック増幅器の第２の入力端子に接続する手段と、
クロック増幅器の第１の出力端子を第１の負性抵抗素子の第１の端子及び第２の負性抵抗素子の第１の端子に接続する手段と、
クロック増幅器の第２の出力端子を第３の負性抵抗素子の第２の端子及び第４の負性抵抗素子の第２の端子に接続する手段と、
を含む請求項１の装置。
【請求項１７】  さらに、クロック信号をクロック端子に接続するキャパシタと、反転クロック信号を反転クロック端子に接続するキャパシタとを含む請求項１の装置。
【請求項１８】  ブリッジ入力端子、反転ブリッジ入力端子、クロック端子及び反転クロック端子を有する量子化ブリッジと、
第１の入力信号と第２の入力信号とを受けて増幅して出力をブリッジに供給する入力増幅器と、
クロック信号と反転クロック信号とを受けて増幅し、出力を受けるブリッジと接続されたクロック増幅器と、
ブリッジ入力端子に接続されて出力信号を出す出力端子と、
反転ブリッジ入力端子に接続されて反転出力信号を出す反転出力端子と、
を含むアナログ信号量子化装置。
【請求項１９】  量子化ブリッジが、さらに、
クロック端子と接続した第１の端子と、ブリッジ入力端子と接続した第２の端子と、を有する第１の負性抵抗素子と、
クロック端子と接続した第１の端子と、反転ブリッジ入力端子と接続した第２の端子と、を有する第２の負性抵抗素子と、
ブリッジ入力端子に接続した第１の端子と、反転クロック端子と接続した第２の端子と、を有する第３の負性抵抗素子と、
反転ブリッジ入力端子と接続した第１の端子と、反転クロック端子と接続した第２の端子と、を有する負性抵抗素子と、を含む請求項１８の装置。    
【請求項２０】ブリッジ入力端子、反転ブリッジ入力端子、クロック端子及び反転クロック端子を有する量子化ブリッジと、
第１の入力信号と第２の入力信号とを受けて増幅して出力をブリッジに供給する入力増幅器と、
クロック信号を受ける第１の結合素子であって、その出力をブリッジが受けるように接続された当該第１の結合素子と、
反転クロック信号を受ける第２の結合素子であって、その出力をブリッジが受けるように接続された当該第２の結合素子と、
ブリッジ入力端子に接続されて出力信号を出す出力端子と、
反転ブリッジ入力端子に接続されて反転出力信号を出す反転出力端子と、
を含むアナログ信号量子化装置。
【請求項２１】
クロック端子と接続した第１の端子と、ブリッジ入力端子と接続した第２の端子と、を有する第１の負性抵抗素子と、
クロック端子と接続した第１の端子と、反転ブリッジ入力端子と接続した第２の端子とを有する第２の負性抵抗素子と、
ブリッジ入力端子に接続した第１の端子と、反転クロック端子と接続した第２の端子と、を有する第３の負性抵抗素子と、
反転ブリッジ入力端子と接続した第１の端子と、反転クロック端子と接続した第２の端子と、を有する負性抵抗素子と、を含む請求項２０の装置。
【請求項２２】  第１の結合素子と第２の結合素子とが各々、キャパシタと直列に接続した抵抗とを含む請求項２０の装置。
【請求項２３】  ブリッジ入力端子、反転ブリッジ入力端子、クロック端子及び反転クロック端子を有する変調器ブリッジ、
増幅のために入力信号及び反転入力信号を受ける入力増幅器、
ブリッジに適合した出力を有し、入力増幅器から増幅された信号を受けるために接続されたブリッジ増幅器、
ブリッジ増幅器に適合した出力を有し、ブリッジからの出力を受けるために接続されたフィードバック増幅器、
増幅のためにクロック信号及び反転クロック信号を受けるクロック増幅器、
クロック増幅器からの出力を受けるために接続されたブリッジ、
ブリッジ入力端子に接続した、出力信号を出す出力端子、及び
反転ブリッジ入力端子に接続した、反転出力信号を出す反転出力端子を含む連続−時間変調器。
【請求項２４】  ブリッジ増幅器がさらに第１の入力端子及び第２の入力端子を含み、第１の入力端子に接続された第１の端子及び第２の入力端子に接続された第２の端子を有するキャパシタをさらに含む請求項２３の装置。
【請求項２５】  クロック増幅器がブリッジ増幅器の増幅定数よりも約４〜１０倍の増幅定数を有する請求項２３の装置。
【請求項２６】  変調器ブリッジが、
クロック端子に接続された第１の端子及びブリッジ入力端子に接続された第２の端子を有する第１の負性抵抗素子、
クロック端子に接続された第１の端子及び反転ブリッジ入力端子に接続された第２の端子を有する第２の負性抵抗素子、
ブリッジ入力端子に接続された第１の端子及び反転クロック端子に接続された第２の端子を有する第３の負性抵抗素子、及び
反転ブリッジ入力端子に接続された第１の端子及び反転クロック端子に接続された第２の端子を有する第４の負性抵抗素子をさらに含む請求項２３の装置。
【請求項２７】  第１、第２、第３及び第４の負性抵抗素子がクロック端子にバイアスされている請求項２６の装置。
【請求項２８】  第１、第２、第３及び第４の負性抵抗素子が各々、平行な第１の共振トンネルダイオードと第２の共振トンネルダイオードを含み、第１の共振トンネルダイオードが、第２の共振トンネルダイオードとは反対にバイアスされている請求項２６の装置。
【請求項２９】  第５の負性抵抗素子がクロック端子に接続された第１の端子及び反転クロック端子に接続された第２の端子をさらに含む請求項２６の装置。
【請求項３０】  第１、第２、第３、第４及び第５の負性抵抗素子が各々、共振トンネルダイオードを含む請求項２９の装置。
【請求項３１】  第１、第２、第３、第４及び第５の負性抵抗素子がクロック端子に対し同一にバイアスされている請求項２９の装置。
【請求項３２】  第１、第２、第３及び第４の負性抵抗素子が各々、平行な第１の共振トンネルダイオードと第２の共振トンネルダイオードを含み、第１の共振トンネルダイオードが、第２の共振トンネルダイオードとは反対にバイアスされている請求項２９の装置。
【請求項３３】  ブリッジ入力端子、反転ブリッジ入力端子、クロック信号を受けるクロック端子及び反転クロック信号を受ける反転クロック端子を有する変調器ブリッジ、
それ自身の増幅のために入力信号及び反転入力信号を受ける増幅器、
増幅器に適合した出力を有し、ブリッジからの出力を受けるために接続されたフィードバック増幅器、
ブリッジ入力端子に接続した、出力信号を出す出力端子、及び
反転ブリッジ入力端子に接続した、反転出力信号を出す反転出力端子を含む連続−時間変調器。
【請求項３４】  増幅器がさらに第１の入力端子及び第２の入力端子を含み、上記第１の入力端子に接続された第１の端子及び上記第２の入力端子に接続された第２の端子を有するキャパシタをさらに含む請求項３３の装置。
【請求項３５】  変調器ブリッジが、
クロック端子に接続された第１の端子及びブリッジ入力端子に接続された第２の端子を有する第１の負性抵抗素子、
クロック端子に接続された第１の端子及び反転ブリッジ入力端子に接続された第２の端子を有する第２の負性抵抗素子、
ブリッジ入力端子に接続された第１の端子及び反転クロック端子に接続された第２の端子を有する第３の負性抵抗素子、及び
反転ブリッジ入力端子に接続された第１の端子及び反転クロック端子に接続された第２の端子を有する第４の負性抵抗素子をさらに含む請求項３３の装置。
【請求項３６】  第１、第２、第３及び第４の負性抵抗素子がクロック端子に対し同一にバイアスされている請求項３５の装置。
【請求項３７】  第１、第２、第３及び第４の負性抵抗素子が各々、平行な第１の共振トンネルダイオードと第２の共振トンネルダイオードを含み、第１の共振トンネルダイオードが、第２の共振トンネルダイオードとは反対にバイアスされている請求項３５の装置。
【請求項３８】  反転クロック端子に接続された第１の端子を有する第５の負性抵抗素子をさらに含む請求項３５の装置。
【請求項３９】  第１、第２、第３、第４及び第５の負性抵抗素子が各々、共振トンネルダイオードを含む請求項３８の装置。
【請求項４０】  第１、第２、第３、第４及び第５の負性抵抗素子が各々、クロック端子を含む請求項３８の装置。
【請求項４１】  第１、第２、第３及び第４の負性抵抗素子が各々、平行な第１の共振トンネルダイオードと第２の共振トンネルダイオードを含み、第１の共振トンネルダイオードが、第２の共振トンネルダイオードとは反対にバイアスされている請求項３８の装置。